(57)【要約】【課題】わずらわしい計算を行うことなく低電圧照明システムの設計ができる設計支援システムを提供する。【解決手段】設計支援システム１は、設計支援用のウェブサイト２１ａが開設され、かつ照明器具および周辺部材に関する情報が格納されたデータベース２３が接続されたウェブサーバ２１と、設計者がウェブサイト２１ａにアクセスするために使用するユーザ端末３と、ウェブサーバ２１およびユーザ端末３を相互通信可能な状態で接続するネットワーク４とを備えている。ウェブサーバ２１は、ユーザ端末３から送信された低電圧照明システムのケーブルの長さおよび照明器具に関するデータに基づいて、電圧降下の値を算出すると共に、当該算出値に基づいて個々の照明器具１３の動作電圧が適正であるか否かを判定し、判定結果を、電圧降下の算出値と共にユーザ端末３に送信する。【選択図】図３
2016031579.tif 000002
【特許請求の範囲】
【請求項１】
交流電圧を直流電圧に変換するトランスに、ケーブルを介して複数の低電圧駆動の照明器具が接続された低電圧照明システムの設計を支援する照明用設計支援システムであって、
設計支援用のウェブサイトが開設され、かつ前記照明器具および周辺部材に関する情報が格納されたデータベースが接続されたウェブサーバと、
設計者が前記ウェブサイトにアクセスするために使用するユーザ端末と、
前記ウェブサーバおよびユーザ端末を相互通信可能な状態で接続するネットワークと、を備え、
前記ウェブサーバには、前記トランスと前記照明器具の間または前記照明器具間を繋ぐケーブルの長さおよび前記各照明器具の消費電力の値に基づいて、前記各ケーブルで生じる電圧降下の値を算出するためのソフトウェアがインストールされており、
前記ウェブサーバは、
前記ユーザ端末から送信されたケーブルの長さおよび照明器具に関するデータに基づいて、前記電圧降下の値を算出すると共に、当該算出値に基づいて前記個々の照明器具の動作電圧が適正であるか否かを判定し、
当該判定結果を、前記電圧降下の算出値と共に前記ユーザ端末に送信することを特徴とする照明用設計支援システム。
【請求項２】
前記ウェブサーバは、前記各照明器具の消費電力の値に基づいて前記低電圧照明システムの使用電力を算出すると共に、前記データベースに格納されたトランスに関する情報から、前記使用電力の算出値に対して一定の要件を満たすトランスを選択し、
当該選択したトランスに関するデータを前記ユーザ端末に送信する、請求項１に記載の照明用設計支援システム。
【請求項３】
前記ウェブサーバは、前記ユーザ端末から送信された照明器具に関するデータに基づいて、前記データベースから該当する照明器具および周辺部材に関するデータを読み出して、それぞれ一覧表を作成し、当該一覧表のデータを前記ユーザ端末に送信する、請求項１または２に記載の照明用設計支援システム。
【請求項４】
前記ユーザ端末の要求に応じて前記ウェブサーバから送信された設計データ入力ページには、前記低電圧照明システムの接続状態を表す画像が表示され、かつ当該画像のうち照明器具がケーブルに接続される箇所に、照明器具に関するデータを入力ための入力欄が表示される、請求項１ないし３のいずれかに記載の照明用設計支援システム。
【請求項５】
前記設計データ入力ページの入力欄には、照明器具の詳細な情報を表示するページにリンクしたボタンが含まれる、請求項４に記載の照明用設計支援システム。
【請求項６】
交流電圧を直流電圧に変換するトランスに、ケーブルを介して複数の低電圧駆動の照明器具が接続された低電圧照明システムの設計を支援する照明用設計支援システムに使用されるウェブサーバであって、
前記照明器具および周辺部材に関する情報が格納されたデータベースが接続され、かつ設計者がアクセスするために使用するユーザ端末と相互通信可能なネットワークを介して接続され、
前記トランスと前記照明器具の間または前記照明器具間を繋ぐケーブルの長さおよび前記各照明器具の消費電力に基づいて、前記各ケーブルで生じる電圧降下の値を算出するためのソフトウェアがインストールされており、
前記ユーザ端末から送信されたケーブルの長さおよび照明器具に関するデータに基づいて、前記電圧降下の値を算出すると共に、当該算出値に基づいて前記個々の照明器具の動作電圧が適正であるか否かを判定し、
当該判定結果を、前記電圧降下の算出値と共に前記ユーザ端末に送信することを特徴とするウェブサーバ。
【請求項７】
前記各照明器具の消費電力の値に基づいて前記低電圧照明システムの使用電力を算出すると共に、前記データベースに格納されたトランスに関する情報から、前記使用電力の算出値に対して一定の要件を満たすトランスを選択し、
当該選択したトランスに関するデータを前記ユーザ端末に送信する、請求項６に記載のウェブサーバ。
【発明の詳細な説明】
【技術分野】
【０００１】
本発明は、庭園等の屋外に複数の低電圧駆動の照明器具が設置された低電圧照明システムを設計する際に用いられる設計支援システムおよびウェブサーバに関する。
【背景技術】
【０００２】
庭園などの屋外に設置される照明システムについては、安全性や作業性の観点から、低電圧で動作するＬＥＤなどを光源とする照明器具が用いられるようになってきている（例えば特許文献１参照）。光源には、商用電源から供給された交流の電力がトランスにより直流の電力に変換された後、供給される。
【０００３】
上述したように低電圧駆動の照明器具を用いた照明システムでは、光源に動作電圧が低く（通常、ＤＣ１２Ｖ）、かつ動作電圧が等しいＬＥＤを用いている。以下に、その理由を説明する。
【０００４】
動作電圧が低い照明器具を用いるのは、配線工事を行う際の制約を取り除くことができるためである。電気工事士法によれば、一般家庭で用いられるＡＣ１００Ｖの配線工事は、電気工事士の資格を有する者にのみ許され、これを有さない者による工事は禁止されている。これに対し、動作電圧が３６Ｖ以下の照明器具の配線については、電気工事士の資格を有さない者であっても工事が可能である。
【０００５】
従って、動作電圧がＤＣ１２Ｖの照明器具を用いることにより、配線工事を行う際の制約が取り除かれ、庭園やエントランスの施工を行う業者が照明器具の配線工事を併せて行うことができる。また動作電圧が１２Ｖ程度であれば、作業者が誤って銅線が露出したケーブルに触っても、感電してけがをすることはない。
【０００６】
次に、動作電圧の等しい電灯器具を用いるのは、配線の途中で電圧の調整を行う必要がないためである。配線用の器具に接続される複数の照明器具の動作電圧が異なる場合、それぞれに電圧を調整する回路を設置する必要がある。これに対し、照明器具の動作電圧が等しい場合は、配線用の器具に照明器具を並列に接続するだけで、全ての照明器具にＤＣ１２Ｖの直流電力を供給できる。
【先行技術文献】
【特許文献】
【０００７】
【特許文献１】特開２０１０−２００５９５号公報
【発明の概要】
【発明が解決しようとする課題】
【０００８】
上述した低電圧駆動の照明器具を用いた照明システム（以降、「低電圧照明システム」という）を設計する際には、ケーブルによる電圧降下とトランスの容量を考慮する必要がある。以下、それぞれについて簡単に説明する。
【０００９】
第１に、ケーブルによる電圧降下を一定レベル以下に抑える必要がある。トランスと照明器具を結ぶケーブルに電流を流したとき、ケーブルの長さに比例して先端の電圧が下がる。ケーブルの長さが長いと、電圧降下によって照明器具に十分な電流が流れなくなり、光源の照度が低下する。これを避けるためには、照明器具に加わる電圧が一定電圧（例えば適正な動作電圧が１２〔Ｖ〕の場合、１１〔Ｖ〕）を下回らないようにケーブルの長さを設定する必要がある。
【００１０】
第２に、低電圧照明システムの使用電力（各照明器具の消費電力の総和）が、トランスの容量に安全係数（例えば７０％）を掛けた値未満となるようにする必要がある。トランスを安全係数以上の値で連続運転した場合、トランスの温度が上昇して出力が停止することがある。これを避けるためには、照明システムの使用電力が、トランスの許容容量に対して安全係数未満になるようにしなければならない。
【００１１】
従って、低電圧照明システムの設計者は、設計の都度、上述の２つの要件を満たすようにケーブルの長さやトランスの容量を設定しなければならない。これらのうち、トランスの容量は簡単な計算で求めることができるが、電圧降下については、原理を理解すると共に計算方法をマスターしなければならない。
【００１２】
しかし、このことは、低電圧駆動の照明器具を用いることのメリット、すなわち、電気工事士のような電気に関する十分な知識を有する者でなくても設計ができるというメリットを生かせないことになる。
【００１３】
更には、設計の都度、電圧降下の値やトランスの容量を算出しなければならないために、設計に手間と時間を要することになる。
【００１４】
本発明は、このような従来の問題点に鑑みて成されたもので、わずらわしい計算を行うことなく低電圧照明システムの設計ができる照明用設計支援システムを提供することを目的とする。
【課題を解決するための手段】
【００１５】
上記目的を達成するため、本発明にかかる照明用設計支援システムは、交流電圧を直流電圧に変換するトランスに、ケーブルを介して複数の低電圧駆動の照明器具が接続された低電圧照明システムの設計を支援する照明用設計支援システムであって、
設計支援用のウェブサイトが開設され、かつ前記照明器具および周辺部材に関する情報が格納されたデータベースが接続されたウェブサーバと、
設計者が前記ウェブサイトにアクセスするために使用するユーザ端末と、
前記ウェブサーバおよびユーザ端末を相互通信可能な状態で接続するネットワークと、を備え、
前記ウェブサーバには、前記トランスと前記照明器具の間または前記照明器具間を繋ぐケーブルの長さおよび前記各照明器具の消費電力の値に基づいて、前記各ケーブルで生じる電圧降下の値を算出するためのソフトウェアがインストールされており、
前記ウェブサーバは、
前記ユーザ端末から送信されたケーブルの長さおよび照明器具に関するデータに基づいて、前記電圧降下の値を算出すると共に、当該算出値に基づいて前記個々の照明器具の動作電圧が適正であるか否かを判定し、
当該判定結果を、前記電圧降下の算出値と共に前記ユーザ端末に送信することを特徴とする。
【００１６】
ここで、前記ウェブサーバは、前記各照明器具の消費電力の値に基づいて前記低電圧照明システムの使用電力を算出すると共に、前記データベースに格納されたトランスに関する情報から、前記使用電力の算出値に対して一定の要件を満たすトランスを選択し、当該選択したトランスに関するデータを前記ユーザ端末に送信することが好ましい。
【００１７】
また前記ウェブサーバは、前記ユーザ端末から送信された照明器具に関するデータに基づいて、前記データベースから該当する照明器具および周辺部材に関するデータを読み出して、それぞれ一覧表を作成し、当該一覧表のデータを前記ユーザ端末に送信することが好ましい。
【００１８】
また前記ユーザ端末の要求に応じて、前記ウェブサーバから送信された設計データ入力ページには、前記低電圧照明システムの接続状態を表す画像が表示され、かつ当該画像のうち照明器具がケーブルに接続される箇所に、照明器具に関するデータを入力ための入力欄が表示されることが好ましい。
【００１９】
また前記設計データ入力ページの入力欄には、照明器具の詳細な情報を表示するページにリンクしたボタンが含まれることが好ましい。
【発明の効果】
【００２０】
本発明にかかる照明用設計支援システムを利用すれば、電気に関する十分な知識を備えていなくても、低電圧照明システムの設計を、簡単かつ短時間で行うことができる。
【図面の簡単な説明】
【００２１】
【図１】設計の対象である低電圧照明システムの構成を示すブロック図である。
【図２】低電圧照明システムにおける使用電力とケーブルの最大長さとの関係を示すグラフである。
【図３】本発明の実施の形態にかかる照明用設計支援システムの基本的な構成を示すブロック図である。
【図４】低電圧照明システムの設計を行う際の手順を示すフローチャートである。
【図５】データ入力前の設計データ入力ページの画面を示す図である。
【図６】データ入力後の設計データ入力ページの画面を示す図である。
【図７】照明器具の仕様等を列記した表の一部を示す図である。
【図８】低電圧照明システムに使用する照明器具および周辺部材の一覧表を示す図である。
【図９】図６の設計データ入力ページを印刷して得た表を示す図である。
【発明を実施するための形態】
【００２２】
以下、本発明の実施の形態にかかる照明用設計支援システムについて、図面を参照しながら説明する。
【００２３】
＜ケーブルの長さとトランスの容量の決定＞
前述したように、屋外用の低電圧照明システムの設計においては、配線用のケーブルにおける電圧降下を一定レベル以下に抑えると共に、トランスの容量を照明システムの使用電力に対して一定レベル以上に保持する必要がある。以下、図面を用いてケーブルの長さとトランスの容量の求め方を説明する。
【００２４】
最初に、図１および図２を参照して、ケーブルの長さの求め方について説明する。図１に示すように、低電圧照明システム１０においては、トランス１１から引き出されたケーブル１２の途中もしくは先端に照明器具１３が接続されている。トランス１１のプラグ１４を、図示しない商用電源のコンセントに接続すると、トランス１１から出力されたＤＣ１２[Ｖ]の電流が照明器具１３に供給され、照明が行われる。
【００２５】
一般に、照明器具１３で１[Ｗ]の電力を消費したときのケーブル１２の１[ｍ]当りの電圧降下は０．００２５[Ｖ]程度である。図１に示すように、長さＬ[ｍ]のケーブル１２の先端または途中に消費電力Ａ[Ｗ]の照明器具１３を接続した場合、ケーブル１２で生じる電圧降下Ｖは、下記式（１）で求められる。
Ｖ＝０．００２５×Ｌ×ΣＡ―――（１）
【００２６】
図２のグラフは、ケーブル１２の先端または途中に接続された照明器具１３の電圧がＤＣ１１[Ｖ]を維持するためのケーブル１２の最大長さを、上述の式（１）に基づいて算出したものである。なお、コードの最大長さが９０[ｍ]で頭打ちとなっているのは、市販されているコードの長さを考慮したものである。
【００２７】
例えば、図１（ａ）に示す構成において、ケーブル１２の先端に消費電力５[Ｗ]の照明器具１３を取り付けた場合、ケーブル１２の長さを８０[ｍ]未満にすれば、照明器具１３の電圧を１１[Ｖ]以上に維持できるため、照明器具の明るさを確保できる。
【００２８】
一方、図１（ｂ）に示す構成において、ケーブル１２に消費電力５[Ｗ]の照明器具１３を４個取り付けた場合、消費電力の総和は２０[Ｗ]となるため、トランス１１から一番遠い位置にある照明器具１３の電圧を１１[Ｖ]以上に維持するためには、ケーブル１２の長さを２０[ｍ]以内にする必要がある。
【００２９】
次に、トランス１１の容量の求め方について説明する。前述したように、トランスの容量は、照明システム１０の使用電圧すなわち各照明器具１３の消費電力の総和が、トランスの容量に安全係数を掛けた値未満となるように設定する必要がある。例えば、安全係数を７０％に設定すると、照明システムの使用電力が２０[Ｗ]の場合、容量が２８．６[Ｗ]以上のトランスを用いる必要がある。
【００３０】
なお、図２に示したグラフは、１本のケーブルに照明器具を接続した場合における使用電力とコードの最長さとの関係を示したものであり、後述するようにトランスから複数のケーブルを引き出した場合、または途中で分岐させた場合には、それに合わせてグラフを作り直す必要がある。
【００３１】
上述したように、低電圧照明システムの設計において、設計者は、設計の都度、要件を満たすケーブルの長さとトランスの容量を求める必要があるため、時間と手間がかかり、そのことが屋外用の低電圧照明システムを普及する上で妨げとなっていた。
【００３２】
本発明にかかる照明用設計支援システムを用いれば、要件を満たすケーブルの長さとトランスの容量を、簡単かつ短時間で求めることができる。
【００３３】
＜照明用設計支援システムの構成＞
次に、図３のブロック図を参照して、本実施の形態にかかる照明用設計支援システム（以降、単に「設計支援システム」という）の構成と各部の機能を説明する。
【００３４】
図３に、本実施の形態にかかる設計支援システムの構成を示す。設計支援システム１は、照明器具の製造や販売を行う事業者２が所有もしくは管理するウェブサーバ２１およびオペレータ端末２２、低電圧照明システムの設計に携わる造園業者やエクステリア事業者が使用する複数のユーザ端末３、ならびにこれらの機器を相互通信可能な状態で接続するインターネット４で構成されている。以下、システムを構成する各部材について説明する。
【００３５】
ウェブサーバ２１にはウェブサーバソフトがインストールされ、低電圧照明システムの設計支援を行うウェブサイト２１ａと、照明器具や付属品のカタログデータを掲載したウェブサイト２１ｂが開設されている。低電圧照明システムの設計に際し、造園業者やエクステリア事業者は、ユーザ端末３を用いてウェブサイト２１ａおよび２１ｂにアクセスする。
【００３６】
図示しないが、ウェブサーバ２１は、ＣＰＵで構成された処理手段と、ＲＯＭ、ＲＡＭ、ハードディスク等で構成された記憶手段を備えている。処理手段は、記憶手段に格納された設計支援用のソフトウェアを実行して、ケーブルの電圧降下や照明システムの使用電力を算出する。また記憶手段には、ウェブサイト２１ａの画面を構成するコンテンツデータが格納されている。
【００３７】
ウェブサーバ２２には、照明器具事業者２が提供する照明器具や周辺部材のカタログデータを格納したデータベース（以降、「ＤＢ」という）２３が接続されている。またウェブサーバ２２には、ＤＢ２３の書き込みおよび読み出しを制御するデータベースマネジメントシステムソフトが予めインストールされている。造園業者やエクステリア事業者が照明器具等の詳細なデータを確認したい場合、ユーザ端末３を用いてウェブサイト２１ｂにアクセスし、ＤＢ２３に格納されたデータを読み出す。
【００３８】
低電圧照明システムの設計者がユーザ端末３を用いてウェブサイト２１ａにアクセスし、後述する設計データ入力ページを開いて必要なデータを入力する。ウェブサーバ２１の処理手段（図示せず）は、設計支援用のソフトウェアを用いてケーブル１２で生じる電圧降下の値を算出すると共に、記憶手段（図示せず）に格納された図２のグラフ（または照明システムの構成に対応して作成されたグラフ）を読み出して照明器具の動作電圧が適正範囲に含まれるか否かを判定し、結果を設計データ入力ページに表示する。
【００３９】
また、ウェブサーバ２１の処理手段（図示せず）は、照明システムの使用電力を算出すると共に、その値から条件に適合するトランスの容量を算出し、ＤＢ２３からその要件を満たすトランスの製品番号等を読み出して画面に表示する。
【００４０】
なお、本実施の形態では、ウェブサーバ２１として、照明器具事業者２が所有または管理するサーバを用いているが、必ずしも事業者が所有・管理するサーバでなくてもよく、クラウドサーバのようなレンタルサーバを使用してもよい。
【００４１】
照明器具事業者２がウェブサイト２１ａ、２１ｂの管理のために使用するオペレータ端末２２はパーソナルコンピュータ（以降「ＰＣ」という）で構成されており、ウェブページ２１ａ、２１ｂを閲覧するためのウェブブラウザソフトがインストールされている。
【００４２】
造園業者やエクステリア事業者が使用するユーザ端末３は、オペレータ端末２２と同様にＰＣで構成され、予めウェブブラウザソフトがインストールされている。なお、図では３台のユーザ端末３がインターネット４に接続されているが、台数に制限はない。
【００４３】
＜低電圧照明システムの設計手順＞
次に、図４のフローチャートならびに図５および図６の画面レイアウト図を参照して、造園業者やエクステリア事業者が、ユーザ端末３からウェブサイト２１ａにアクセスして低電圧照明システムの設計を行う際の手順を説明する。
【００４４】
最初に、設計者は、ユーザ端末３およびインターネット４を介して、照明器具事業者２が開設しているウェブサイト２１ａにアクセスする（ステップＳ１１）。ウェブサーバ２１は、これに応答して設計データ入力ページのデータをユーザ端末３に送信する（ステップＳ２１）。
【００４５】
図５に、ウェブサイト２１ａにおける設計データ入力ページＰ１の画面レイアウトを示す。ページＰ１には、低電圧照明システムの接続状態を表す画像、具体的には、トランスＰ１１と照明器具Ｐ１２とがケーブルＰ１３で接続された画像が表示される。図５では、トランスＰ１１から照明器具Ｐ１２を接続する４本のケーブルＰ１３が引き出されているが、ケーブルＰ１３の数は必要に応じて増減すればよい。
【００４６】
またページＰ１には、照明システムの使用電力、すなわちケーブルＰ１３に接続された照明器具Ｐ１２の消費電力の総和（Ｗ数）を表示する枠Ｆ１１、ケーブルＰ１３の長さの総和（メートル）を表示する枠Ｆ１２および最適トランスを表示する枠Ｆ１３が設けられている。
【００４７】
照明器具を示すアイコンＰ１２の＋のボタンＢ１１を、マウス等を用いてクリックすると、データ入力用の欄Ｐ１４が表示される。図６に示すページＰ２は、図５に示すページＰ１に、設計に必要な全てのデータを入力した状態を示している。なお、図では煩雑さを避けるため、最下段のデータ入力欄Ｐ１４にのみ詳細な符号を付している。
【００４８】
図６は、図１に示した低電圧照明システム１０において、トランス１１から４本のケーブル１２が引き出され、かつ照明器具１３が、第１のケーブル（ライン１）に１個、第２のケーブル（ライン２）に３個、第３のケーブル（ライン３）に２個接続された状態を示している。なお、第４のケーブル（ライン４）には、照明器具は接続されていない。
【００４９】
図６において、照明器具のデータ入力欄Ｐ１４には、ケーブルの長さを入力する枠Ｆ１４、照明器具の製品番号（以降、「品番」と略す）を入力する枠Ｆ１５、照明器具の消費電力を表示する枠Ｆ１６、照明器具とトランスまたは上流側の照明器具との間に接続されるケーブルで生じる電圧降下の値を表示する枠Ｆ１７および照明器具の動作電圧が適正範囲内であるか否かを示す枠Ｆ１８が表示される。
【００５０】
またデータ入力欄Ｐ１４の右上には、接続可能なケーブルの最大長さが表示され、更にデータ入力欄Ｐ１４には、照明器具の詳細情報を表示したページにジャンプするためのボタンＢ１２およびデータ入力欄Ｐ１４を削除するためのボタンＢ１３が表示される。
【００５１】
なお、データ入力欄Ｐ１４には、照明器具のコード（Code）を入力する枠も設けられており、品番またはコードのいずれでも照明器具を特定できるが、本実施の形態では、枠Ｆ１５に品番を入力して照明器具を特定している。
【００５２】
また図６に示すページＰ２では、１本のケーブルＰ１３に最大３個の照明器具を接続した場合を示しているが、データ入力欄Ｐ１４の下段に表示された照明器具のアイコンＰ１２の＋のボタンＢ１１をマウスでクリックすることによって、データ入力欄Ｐ１４を追加することができる。ページＰ２の縦方向の長さが長くなって画面からはみ出た場合には、スクロールバーＳ１１を移動させることによって必要な箇所を画面に表示できる。
【００５３】
設計者は、キーボード等を用いて、データ入力欄Ｐ１４の枠Ｆ１４にケーブルの長さを入力し、かつ枠Ｆ１５に使用予定の照明器具の品番を入力する。データ入力欄Ｐ１４に入力されたデータは、入力の都度、ウェブサーバ２１に送信される（ステップＳ１２）。
【００５４】
ケーブルの長さと品番のデータを受け取ったウェブサーバ２１の処理手段（図示せず）は、ＤＢ２３に格納されたデータから該当する照明器具の消費電力を読み出し、記憶手段（図示せず）に格納する。
【００５５】
更に処理手段は、設計用のソフトウェアを起動してケーブルでの電圧降下の値を算出すると共に、各照明器具の動作電圧が適正（１１Ｖ以上）であるか否かを判定する（ステップＳ２２）。併せて処理手段は、ケーブルの長さの総和および低電圧照明システムの使用電力（照明器具の消費電力の総和）を算出する（同ステップ）。
【００５６】
ステップＳ２２において算出された値、判定結果およびＤＢ２３から読み出されたデータは、ウェブサーバ２１からユーザ端末３に送信され、ページＰ２に表示される。具体的には、データ入力欄Ｐ１４の枠Ｆ１６に照明器具の消費電力が表示され、枠Ｆ１７に電圧降下の値が表示される。また枠Ｆ１８に、動作電圧が適正であるか否かの結果が「ＯＫ」または「ＮＧ」で表示される。
【００５７】
またページＰ２の枠Ｆ１１には、照明システムの使用電力が表示され、枠１２には、ケーブルの長さの総和が表示される。更に、枠Ｆ１３には、システムの使用電力から算出される適正容量を備えた最適トランスの外観、品番および容量が表示される。
【００５８】
設計者は、データ入力欄Ｐ１４へのデータ入力が完了した後、設計データを確認する（ステップＳ１３）。ライン２の最下段のデータ入力欄Ｐ１４のように、判定枠Ｆ１８に「ＮＧ」が表示された場合、設計者は、設計を変更して（ステップＳ１４でＹｅｓ）、データ入力欄Ｐ１４へのデータ入力をやり直す（ステップＳ１２）。
【００５９】
具体的には、消費電力のより小さい照明器具に代えるか、ケーブルの長さを短くする。入力データはウェブサーバ２１に送信され（ステップＳ１２）、電圧降下とトランスの容量の計算がやり直される（ステップＳ２２）。
【００６０】
上述したように、設計者はページＰ２に表示されたデータにより、低電圧照明システム１０の設計において、各照明器具の動作電圧が適正であるか否かを確認でき、更に、最適なトランスの品番を確認できる。
【００６１】
ステップＳ２２に示した電圧降下の値および使用電力の算出、ならびに動作電圧の判定の際、ウェブサーバ２１の処理手段（図示せず）は、ＤＢ２３から該当するデータを読み出して、図７および図８に示す表を作成し、そのデータを、算出・判定結果のデータと共にユーザ端末に送信する（ステップＳ２３）。図示しないが、図７および図８の表はページＰ２の下部に表示される。
【００６２】
図７に表Ｔ１の一部を示す。表Ｔ１は、データ入力欄Ｐ１４に入力された照明器具の外観および基本的な仕様を列記したもので、設計者は、表Ｔ１によって照明器具がどのような形状であり、またどのような仕様であるかを確認できる。
【００６３】
図８（ａ）に示す表Ｔ２は、ページＰ２に入力された照明器具の一覧であり、ウェブサーバ２１がＤＢ２３に格納された照明器具のカタログデータから抽出したものである。また図８（ｂ）に示す表Ｔ３は、図６に示した低電圧照明システムを構築する上で必要な周辺部材（照明器具を除く）の一覧であり、表Ｔ２と同様にウェブサーバ２１がＤＢ２３に格納された周辺部材のカタログデータから抽出したものである。
【００６４】
表Ｔ２およびＴ３には、図６に示す構成の低電圧照明システムを構築する上で必要となる全ての部材が表示され、同時に価格も表示されるために、造園業者やエクステリア事業者は、システム構築に必要な部材を自ら調べる必要がなくなり、また見積りの作成等も簡単かつ短時間に行うことができる。
【００６５】
なお、データ入力欄Ｐ１４のボタンＢ１２は、照明器具のカタログデータを掲載したウェブサイト２１ｂのページとリンクしており、設計者がマウス等を用いてボタンＢ１２をクリックすると、その品番の照明器具の詳細データを表示したページが表示される。設計者は、そのページを開くことにより、照明器具の詳細データを確認できるため、設計作業を効率的に進めることができる。
【００６６】
図４の説明に戻って、設計者は、設計変更を含めた設計の一連の作業を終了した後（ステップＳ１４でＮｏ）、表Ｔ２およびＴ３を印刷する（ステップＳ１５）。
【００６７】
図９に示す表Ｔ４は、図６のページＰ２を印刷したもので、ページＰ２に表示された低電圧照明システムの構成のうち、トランスおよび照明器具の品番とケーブルの長さのデータが表示される。図示しないが、各照明器具の四角の枠内には、照明器具の画像が表示される。前述の表Ｔ２およびＴ３を印刷したものと、この表Ｔ４を用いれば、照明システムの構築に必要な全てのデータを用意できる。
【００６８】
以上説明したように、本発明にかかる照明用設計支援システムを用いれば、低電圧照明システムの構築に必要なケーブルの長さとトランスの容量のデータを、簡単かつ短時間に求めることができる。
【００６９】
なお、本実施の形態において、照明用設計支援システムは、照明器具を製造・販売する事業者が顧客へのサービスの一環として提供しているが、上述したように低電圧照明システムの設計を効率的に行うことができることから、ウェブサイトの運営者が有料のサービスとして提供することも可能である。
【符号の説明】
【００７０】
１  照明用設計支援システム
２  証明器具事業者
３  ユーザ端末
４  インターネット
１０  低電圧照明システム
１１  トランス
１２  ケーブル
１３  照明器具
１４  プラグ
２１  ウェブサーバ
２１ａ、２１ｂ  ウェブサイト
２２  オペレータ端末
２３  ＤＢ
Ｐ１、Ｐ２  設計データ入力ページ
Ｔ１〜Ｔ４  表
【図１】
2016031579.tif 000003
【図２】
2016031579.tif 000004
【図３】
2016031579.tif 000005
【図４】
2016031579.tif 000006
【図５】
2016031579.tif 000007
【図６】
2016031579.tif 000008
【図７】
2016031579.tif 000009
【図８】
2016031579.tif 000010
【図９】
2016031579.tif 000011